(57)【要約】  眼の各部分を画像化するためのレンズ・センサアレイは、センサアレイ上に配置されるレンズアレイを含む。レンズアレイは、レンズからの光をセンサアレイに向かって透過させる。レンズアレイは、眼の第一の部分により反射された光をセンサアレイへと方向付けるように構成された第一のセクションと、眼の第二の部分により反射された光をセンサアレイへと方向付けるように構成された第二のセクションとを含む。第一のセクションは第一のサブセクションを含み、各第一のサブセクションは少なくとも１つの第一のレンズレットを含む。第二のセクションは第二のサブセクションを含み、各第二のサブセクションは少なくとも１つの第二のレンズレットを含む。センサアレイは、レンズアレイからの光を検出し、眼の第一の部分により反射された光及び眼の第二の部分により反射された光に対応するセンサ信号を生成するセンサを含む。
2021506375.tif 000002
【特許請求の範囲】
【請求項１】
眼の各部分を画像化するためのシステムであって、
光を前記眼の、前記光を反射する複数の部分に向けて方向付けるように構成された光源及び光学系と、
前記反射された光を透過させるように構成されたレンズと、
センサアレイ上に配置されたレンズアレイを含むレンズ・センサアレイと、
を含み、
前記レンズアレイは前記レンズからの前記光を前記センサアレイに向かって透過させるように構成され、前記レンズアレイは、
前記眼の第一の部分により反射された前記光を前記センサアレイへと方向付けるように構成された第一のセクションであって、複数の第一のサブセクションを含み、各第一のサブセクションは少なくとも１つの第一のレンズレットを含む第一のセクションと、
前記眼の第二の部分により反射された前記光を前記センサアレイへと方向付けるように構成された第二のセクションであって、複数の第二のサブセクションを含み、各第二のサブセクションは少なくとも１つの第二のレンズレットを含む第二のセクションと、
を含み、
前記センサアレイは、
前記レンズアレイからの前記光を検出し、
前記眼の前記第一の部分により反射された前記光及び前記眼の前記第二の部分により反射された前記光に対応する複数のセンサ信号を生成するように構成された複数のセンサを含む、
システム。
【請求項２】
前記第一のセクションの光学パワーはゼロである、請求項１に記載のシステム。
【請求項３】
前記第二のセクションは、ティルト成分を有する２〜１０ミリメートルの焦点距離を有する、請求項１に記載のシステム。
【請求項４】
前記第一及び第二のサブセクションは市松模様のパターンを形成し、
前記第一及び第二のサブセクションは複数の行及び複数の列に配置され、
各行において、各第一のサブセクションは第二のサブセクションと隣接し、
各列において、各第一の撮像サブセクションは第二のサブセクションと隣接する、請求項１に記載のシステム。
【請求項５】
前記第一及び第二のサブセクションは同心円状の環状パターンを形成し、
第一のサブセクションは第一の環状リングのような形状であり、
第二のサブセクションは前記第一の環状リングと同心円の第二の環状リングのような形状である、請求項１に記載のシステム。
【請求項６】
前記第一及び第二のサブセクションは縞模様のパターンを形成し、
第一のサブセクションは第一の長方形のような形状であり、
第二のサブセクションは、前記第一の長方形に隣接する第二の長方形のような形状である、請求項１に記載のシステム。
【請求項７】
眼の各部分を画像化するためのレンズ・センサアレイであって、
センサアレイ上に配置されたレンズアレイを含み、
前記レンズアレイは、レンズからの光を前記センサアレイに向かって透過させるように構成され、前記レンズアレイは、
前記眼の第一の部分により反射された前記光を前記センサアレイへと方向付けるように構成された第一のセクションであって、複数の第一のサブセクションを含み、各第一のサブセクションは少なくとも１つの第一のレンズレットを含む第一のセクションと、
前記眼の第二の部分により反射された前記光を前記センサアレイへと方向付けるように構成された第二のセクションであって、複数の第二のサブセクションを含み、各第二のサブセクションは少なくとも１つの第二のレンズレットを含む第二のセクションと、
を含み、
前記センサアレイは、
前記レンズアレイからの前記光を検出し、
前記眼の前記第一の部分により反射された前記光及び前記眼の前記第二の部分により反射された前記光に対応する複数のセンサ信号を生成するように構成された複数のセンサを含む、
レンズ・センサアレイ。
【請求項８】
前記第一のセクションの光学パワーはゼロである、請求項７に記載のレンズ・センサアレイ。
【請求項９】
前記第二のセクションは、ティルト成分を有する２〜１０ミリメートルの焦点距離を有する、請求項７に記載のレンズ・センサアレイ。
【請求項１０】
前記第一及び第二のサブセクションは市松模様のパターンを形成し、
前記第一及び第二のサブセクションは複数の行及び複数の列に配置され、
各行において、各第一のサブセクションは第二のサブセクションと隣接し、
各列において、各第一の撮像サブセクションは第二のサブセクションと隣接する、請求項７に記載のレンズ・センサアレイ。
【請求項１１】
前記第一及び第二のサブセクションは同心円状の環状パターンを形成し、
第一のサブセクションは第一の環状リングのような形状であり、
第二のサブセクションは前記第一の環状リングと同心円の第二の環状リングのような形状である、請求項７に記載のレンズ・センサアレイ。
【請求項１２】
前記第一及び第二のサブセクションは縞模様のパターンを形成し、
第一のサブセクションは第一の長方形のような形状であり、
第二のサブセクションは、前記第一の長方形に隣接する第二の長方形のような形状である、請求項７に記載のレンズ・センサアレイ。
【請求項１３】
眼の各部分を画像化するためのレンズ・センサアレイの製造方法であって、
センサアレイを基板として提供するステップと、
複数のレンズ層を前記基板上に印刷して、
前記眼の第一の部分により反射された光を前記センサアレイへと方向付けるように構成された第一のセクションであって、複数の第一のサブセクションを含み、各第一のサブセクションは少なくとも１つの第一のレンズレットを含む第一のセクションと、
前記眼の第二の部分により反射された前記光を前記センサアレイへと方向付けるように構成された第二のセクションであって、複数の第二のサブセクションを含み、各第二のサブセクションは少なくとも１つの第二のレンズレットを含む第二のセクションと、
を生成するステップと、
を含む方法。
【発明の詳細な説明】
【技術分野】
【０００１】
本開示は一般に手術機器に関し、より詳しくは、眼の複数の部分を画像化することに関する。
【背景技術】
【０００２】
物体の画像化には、その物体から反射された光を検出することと、検出された光からその物体の画像を作成することが関わる。診断及び外科処置中、眼は様々な方法で画像化できる。例えば、角膜から反射された光線を使って角膜を画像化することができる。他の例として、網膜から反射された波面を使って、網膜を画像化することができる。
【発明の概要】
【課題を解決するための手段】
【０００３】
特定の実施形態において、眼の各部分を画像化するためのシステムは、光源と光学系、レンズ、及びレンズ・センサアレイを含む。光源と光学系は、光を眼の各部分に向けて方向付け、それが光を反射する。レンズは反射光を透過させる。レンズ・センサアレイは、センサアレイ上に配置されたレンズアレイを含む。レンズアレイは、レンズからの光をセンサアレイに向かって透過させる。レンズアレイは、眼の第一の部分により反射された光をセンサアレイへと方向付けるように構成された第一のセクションと、眼の第二の部分により反射された光をセンサアレイへと方向付けるように構成された第二のセクションを含む。第一のセクションは第一のサブセクションを含み、各第一のサブセクションは少なくとも１つの第一のレンズレットを含む。第二のセクションは第二のサブセクションを含み、各第二のサブセクションは少なくとも１つの第二のレンズレットを含む。センサアレイはセンサを含み、これはレンズアレイからの光を検出し、眼の第一の部分により反射された光と眼の第二の部分により反射された光に対応するセンサ信号を生成する。
【０００４】
特定の実施形態において、眼の各部分を画像化するためのレンズ・センサアレイは、センサアレイ上に配置されたレンズアレイを含む。レンズアレイは、レンズからの光をセンサアレイに向かって透過させる。レンズアレイは、眼の第一の部分により反射された光をセンサアレイへと方向付けるように構成された第一のセクションと、眼の第二の部分により反射された光をセンサアレイへと方向付けるように構成された第二のセクションを含む。第一のセクションは第一のサブセクションを含み、各第一のサブセクションは少なくとも１つの第一のレンズレットを含む。第二のセクションは第二のサブセクションを含み、各第二のサブセクションは少なくとも１つの第二のレンズレットを含む。センサアレイはセンサを含み、これは、レンズアレイからの光を検出し、眼の第一の部分により反射された光と眼の第二の部分により反射された光に対応するセンサ信号を生成する。
【０００５】
特定の実施形態において、眼の各部分を画像化するためのレンズ・センサアレイの製造方法は、センサアレイを基板として提供するステップを含む。レンズ層が基板上に印刷されて、眼の第一の部分により反射された光をセンサアレイへと方向付ける第一のセクションと、眼の第二の部分により反射された光をセンサアレイへと方向付ける第二のセクションを生成する。第一のセクションは第一のサブセクションを含み、第一のサブセクションの各々は少なくとも１つの第一のレンズレットを含む。第二のセクションは第二のサブセクションを含み、第二のサブセクションの各々は少なくとも１つの第二のレンズレットを含む。
【０００６】
本開示の実施形態を、下記のような添付の図面を参照しながら、例としてさらに詳しく説明する。
【図面の簡単な説明】
【０００７】
【図１】眼の各部分を画像化するためのシステムの例を示す。
【図２Ａ】図１のシステムによる角膜及び網膜の画像化を示す。
【図２Ｂ】角膜の画像化を示す。
【図２Ｃ】網膜の画像化を示す。
【図２Ｄ】図１のシステムと共に使用されてよいセンサアレイの動作を示す。
【図３Ａ】図１のシステムと共に使用されてよい市松模様のパターンのレンズアレイの例を示す。
【図３Ｂ】図１のシステムと共に使用されてよい縞模様のパターンのレンズアレイの例を示す。
【図３Ｃ】図１のシステムと共に使用されてよい同心円状の環状パターンのレンズアレイの例を示す。
【図４】図１のシステムと共に使用されてよいレンズ・センサアレイの製造方法の例を示す。
【発明を実施するための形態】
【０００８】
ここで説明文と図面を参照するが、開示されている装置、システム、及び方法の例示的実施形態が詳しく示されている。当業者にとっては明らかであるように、開示されている実施形態は例であり、考え得るすべての実施形態を網羅しているわけではない。
【０００９】
図１は、眼１２の各部分を画像化するためのシステム１０の例を示す。システム１０はレンズ・センサアレイを含み、これはセンサアレイ上に配置されたレンズアレイを有する。レンズアレイは、第一及び第二のセクションを含み、各セクションは、眼１２の異なる部分を同時に画像化するために使用される。例えば、第一のセクションは、角膜から反射された光をセンサアレイへと透過させることにより、角膜を画像化してよく、第二のセクションは、網膜から反射された波面をセンサアレイへと透過させることにより、網膜を画像化してもよい。
【００１０】
システム１０の概観として、図の例では、システム１０は光源２０と、光学系２２と、レンズ２４と、レンズ・センサアレイ２６（レンズアレイ２８とセンサアレイ３０を含む）と、ディスプレイ３１と、コンピュータ４０（１つ又は複数のプロセッサ４２と、画像処理アプリケーション４６を記憶する１つ又は複数のメモリ４４を含む）と、を含む。図の例の動作の概観として、光源２０と光学系２２は、光を眼１２の各部分に向け、それが光を反射する。レンズ２４は、光をレンズ・センサアレイ２６に向かって透過させる。レンズアレイ２８の第一のセクションは、眼１２の第一の部分から反射された光をセンサアレイ３０に向かって方向付け、レンズアレイ２８の第二のセクションは、眼１２の第二の部分から反射された光をセンサアレイ３０へと方向付けることにより、眼１２の両方の部分の画像をディスプレイ３２上で生成する。コンピュータ４０は、システム１０の構成要素の動作を制御して画像を生成する。
【００１１】
より詳細には、図の例において、１つ又は複数の光源２０は、眼１２に向かって方向付けられることになる光を生成する。何れの適当な光（例えば、赤外光又は可視光）を生成する何れの適当な光源（例えば、レーザ又はダイオード、例えばスーパルミネッセントダイオード（ＳＬＥＤ））でも使用されてよい。例えば、レーザ又はＳＬＥＤは網膜を照明してよく、インコヒーレント光源（例えば、ダイオード群）は眼を照明してよく、及び／又は赤外光源は血管をハイライトする画像を生成するための領域を照明してよい。
【００１２】
光学系２２は１つ又は複数の光学機器を含み、これは光源２０により生成された光を眼１２の各部分に向かって方向付ける。光学機器は、光を透過させ、反射し、及び／又は回折させる。光学機器の例としては、レンズ、ビームスプリッタ、及びミラーが含まれる。例えば、光学系２２は、光を眼１２に向かって反射し、眼１２から反射された光をレンズ２４へと透過させるスプリッタを含んでいてよい。眼１２の部分は光を反射する。眼１２の部分の例には、角膜、虹彩、強膜、水晶体、及び網膜が含まれる。
【００１３】
レンズ２４は、反射光をレンズ・センサアレイ２６に向かって透過させる光学機器である。レンズ２４は何れの適当な焦点距離ｆＬを有していてもよく、これは５０〜２００、２００〜４００、又は４００〜５５０ミリメートル（ｍｍ）の範囲であってよい。レンズ２４は１つのレンズ又は複数のレンズの系、例えばディレイライン付きの系を含んでいてよい。
【００１４】
レンズ・センサアレイ２６は、センサアレイ３０上に配置されたレンズアレイ２８を含む。レンズアレイ２８は、３Ｄ印刷付加製造工程、例えば２光子造形法を使ってセンサアレイ３０上に配置されてよい。工程中、赤色フェムト秒レーザパルスからの２つの光子がセンサアレイ３０のフォトレジスストに吸収され、青色の光子のように動作する。これによって、液体フォトレジン内の架橋プロセスが開始する。レンズアレイ２８の構造がセンサアレイ３０上に１層ずつ印刷される。
【００１５】
レンズアレイ２８は第一及び第二のセクションを含み、これらは眼１２の異なる部分を画像化するために使用される。レンズアレイ２８の第一のセクションは、眼１２の第一の部分から反射された光をセンサアレイ３０に向かって方向付け、レンズアレイ２８の第二のセクションは、眼１２の第二の部分から反射された光をセンサアレイ３０に向かって方向付けることにより、眼１２の両方の部分の画像をディスプレイ３２上で生成する。各セクションは、レンズレットを有するサブセクションを含む。第一のセクションは第一のサブセクションを含み、各第一のサブセクションは少なくとも１つの第一のレンズレットを有する。第二のセクションは第二のサブセクションを含み、各第二のサブセクションは少なくとも１つの第二のレンズレットを有する。特定の実施形態において、第一のセクションは、眼１２の角膜及び角膜付近のその他の部分、例えば強膜と虹彩を画像化するために使用されてよく、第二のセクションは、眼１２の網膜及び網膜付近のその他の部分を画像化するために使用されてよい。第一及び第二のセクションを、図２Ｄを参照しながらより詳しく説明する。
【００１６】
センサアレイ３０はセンサを含み、これはレンズアレイ３０からの光を検出し、検出された光に対応するセンサ信号を生成する。センサ信号は、眼１２の各部分の画像を生成するために使用できる。センサアレイ３０の例としては、電荷結合素子（ＣＣＤ）及び相補型金属酸化膜半導体（ＣＭＯＳ）イメージセンサが含まれる。センサアレイ３０は、何れの適当な大きさ及び形状を有していてもよい。典型的なセンサアレイは、寸法１０ミリメートル（ｍｍ）未満の長方形である。
【００１７】
コンピュータ４０は、システム１０の構成要素の動作を制御して、眼１２の各部分の画像を生成する。特定の実施形態において、コンピュータ４０は光源２０に光を生成するように命令する。コンピュータ４０はまた、センサアレイ３０からセンサ信号を受信する。画像処理アプリケーション４６は、信号を処理して画像信号を生成し、これはディスプレイ３２に画像を表示するように命令する。例えば、画像処理アプリケーション４６は、センサ信号の中で受け取った情報をフィルタ処理し、パディングし、変換することにより、画像信号を生成する。
【００１８】
ディスプレイ３２は、コンピュータ４０から画像信号を受信して、眼１２の各部分の画像を表示する。ディスプレイは、デジタル画像を表示できる何れの適当な機器であってもよい（例えば、コンピュータディスプレイ、テレビスクリーン、又はヘッドアップディスプレイ）。
【００１９】
図２Ａ〜２Ｄは、図１のシステム１０を使用した眼１２の各部分（例えば、角膜及び網膜）の画像化の例を示す。図２Ａは、角膜及び網膜の画像化を示す。説明を簡潔にするために、図２Ｂは角膜の画像化を示し、図２Ｃは網膜の画像化を示す。図２Ｄは、センサアレイ３０の動作をより詳しく示している。
【００２０】
図２Ａを参照すると、眼１２から反射された光は、角膜から反射された光と網膜から反射された光を含む。光は角膜から光４７として反射され、光は眼の網膜から波面４８として反射される。レンズ２４は、焦点距離ｆＬを有し、光をレンズ・センサアレイ２６に向かって透過させる。角膜とレンズ２４との間の距離は２ｆＬであり、レンズ２４とレンズアレイ２８との間の距離は２ｆＬである。
【００２１】
図２Ｂを参照すると、角膜からの光４７はレンズ２４を通過して、レンズ・センサアレイ２６に向かって伝搬する。角膜とレンズ２４との間の距離は２ｆＬであり、レンズ２４とレンズアレイ２８との間の距離は２ｆＬであるため、光４７は第一のセクションで合焦する。
【００２２】
図２Ｃを参照すると、網膜からの波面４８は、焦点距離ｆＣを有する眼１２の水晶体４９を通過する。波面４８は、レンズ２４を通ってレンズ・センサアレイ２６に向かって伝搬する。第二のセクションの各レンズレットは、網膜の小さい画像を作る。第二のセクションのレンズレットは、波面４８のティルト補正を行い、光のスポットをセンサアレイ２６のセンサに向かって方向付ける。
【００２３】
図２Ｄを参照すると、レンズアレイ２８は第一のサブセクション５０ａを有する第一のセクションと、第二のサブセクション５０ｂを有する第二のセクションを含む。光４７は第一のサブセクション５０ａを通ってセンサアレイ３０へと伝搬し、波面４８は第二のサブセクション５０ｂを通ってセンサアレイ３０へと伝搬する。レンズアレイ２８のレンズレットは何れの適当な寸法を有していてもよく、例えばセンサアレイ３０に平行な平面に関して測定された約１５０〜３００マイクロメートル（μｍ）の幅とその平面に垂直な方向ｚへと測定された約３〜１０ミリメートルの厚さＴである。レンズレットは、何れの適当な屈折率ｎ（例えば、１．３〜１．４、１．４〜１．５、及び／又は１．５〜１．６の範囲の屈折率）の何れの適当な材料（例えば、ポリマ）を含んでいてもよい。
【００２４】
特定の実施形態において、第一のセクションは、眼１２の角膜及び角膜付近のその他の部分、例えば強膜及び虹彩を画像化するために使用されてよい。角膜を画像化するために、センサアレイ３０のセンサはレンズ２４及びレンズアレイ２８の像面にあるべきである。レンズ２４に関するセンサの位置及びレンズレットの第一のセクションの焦点距離ｆ１はこれを実現するために選択されてよい。
【００２５】
説明を簡略化するために、レンズ・センサアレイ２６がレンズアレイ２８を含まない仮定の状況を考える。レンズ２４の像面は、レンズ２４から２＊ｆＬの距離にあり、＊は乗算を表し、ｆＬはレンズ２４の焦点距離を表し、したがってセンサは画像を捕捉するために距離２＊ｆＬにあるべきである。この仮定の状況とは異なり、レンズ・センサアレイ２６は、厚さＴ、屈折率ｎのレンズアレイ２８を有しており、それによって像面が（ｎ−１）＊Ｔの距離だけレンズ２４からさらに遠ざかる。例えば、２＊ｆＬ＝５００ｍｍ、ｎ＝１．４、Ｔ＝６ｍｍとする。したがって、像面は（１．４−１）＊６ｍｍ＝２．４ｍｍの距離だけレンズ２４から遠ざかる。
【００２６】
レンズ２４に関するセンサの位置及び／又はレンズレットの第一のセクションの焦点距離ｆ１は、像面をセンサに位置付けるように選択されてよい。特定の実施形態において、センサはレンズ２４からさらに遠い新たな像面（ｎ−１）＊Ｔに設置され、第一のセクションの光学（屈折）パワー（１／焦点距離、に等しい）はゼロであり、すなわち、焦点距離はプラス又はマイナス無限大に近付く。この例のように、センサは、それらがレンズアレイ２８を持たない仮定の状況の場合より、レンズ２４から２．４ｍｍの距離だけ遠くに設置される。
【００２７】
他の実施形態において、レンズレットの第一のセクションは焦点距離ｆ１ｌｅｎｓｌｅｔを有していてよく、それによって像面はセンサに設置される。適当な焦点距離ｆ１は以下のレンズの公式を使って計算されてよい：
【数１】
2021506375.tif 000003
式中、ｆ１はレンズアレイ２８を持たない系の焦点距離を表し、ｆ２はレンズアレイ２８の第一のレンズレットの焦点距離を表し、ｆ３はレンズアレイ２８を有する系の焦点距離を表す。この例では、ｆ１＝８．４ｍｍ、ｆ３＝６ｍｍである。それゆえ、レンズレットの第一のセクションの焦点距離ｆ１ｌｅｎｓｌｅｔ＝ｆ２〜２１ｍｍである。
【００２８】
また別の実施形態において、レンズ２４に関するセンサの位置と第一のレンズレットセクションの焦点距離ｆ１ｌｅｎｓｌｅｔの組合せは、像面をセンサに位置付けるように選択されてもよい。位置と焦点距離ｆ１ｌｅｎｓｌｅｔは、レンズの公式にしたがって選択されてよい。
【００２９】
特定の実施形態において、第二のセクションは、眼１２の網膜及び網膜付近のその他の部分を、波面分析を使って画像化するために使用されてよい。第二のセクションは、レンズレットの真正面に平面波面を生成するように動作する２つの焦点距離を持つ組合せレンズレットを含んでいてよく、すなわち焦点距離ｆＡと焦点距離ｆＬ−ｆＡであり、ｆＬはレンズ２４の焦点距離を表す。焦点距離ｆＡは何れの適当な値を有していてもよく、例えば、２〜４、４〜６、６〜８、又は８〜１０ｍｍの範囲の値である。焦点距離ｆＬ−ｆＡは、レンズレットのティルト補正に対応し、したがってレンズレットの第二のセクションはティルト成分を有する焦点距離ｆＡを有する。
【００３０】
図３Ａ〜３Ｃは、図１のシステム１０と使用されてよいレンズアレイ２８の例を示す。レンズアレイ２８は、何れの適当な形状及び大きさを有していてもよい。特定の実施形態において、レンズアレイ２８はセンサアレイ３０の形状及び大きさとほぼ同じ形状と大きさを有し、それによってレンズアレイ２８をセンサアレイ３０の上に配置（例えば、印刷）できる。図の実施形態において、レンズアレイ２８は長方形であり、その辺の長さはＳ１とＳ２で、これらは相互に等しくてもそうでなくてもよい。
【００３１】
レンズアレイ２８は、何れの適当な形状及び大きさの、何れの適当な数の第一のサブセクション５０ａ及び第二のサブセクション５０ｂを有していてもよい。第一の５０ａサブセクションの数は、第二のサブセクション５０ｂの数より多くても、少なくとも、又はそれと等しくてもよい。第一のサブセクション５０ａは、第二のサブセクション５０ｂの形状及び大きさと同じ形状及び大きさを有していてもよく、又はこれらは異なる形状又は大きさを有していてもよい。１つの第一のサブセクション５０ａは、他の第一のサブセクション５０ａのそれと同じ形状及び大きさを有していてもよく、又は異なる形状又は大きさを有していてもよい。同じことが第二のサブセクション５０ｂについても言える。
【００３２】
特定の実施形態において、サブセクション５０ａ〜ｂのパターン（サブセクション５０ａ〜ｂの数、形状、及び大きさを含む）は、センサアレイ３０の上に設置できるように設計されてよい。例えば、印刷工程の限界によりサブセクション５０ａ〜ｂの最小大きさが制約されるかもしれない。特定の実施形態において、サブセクション５０ａ〜ｂのパターンは、特定の作業を行うように設計されてもよい。例えば、網膜からの波面４８を受け取る第二のサブセクション５０ｂはレンズアレイ２８の中央領域に設置されてよく、角膜からの光４７を受け取る第一のサブセクション５０ａはレンズアレイ２８の外側領域に設置されてよい。
【００３３】
図３Ａは、レンズアレイ２８の例を示しており、第一のサブセクション５０ａ及び第二のサブセクション５０ｂは市松模様のパターンで配置されている。第一のサブセクション５０ａ及び第二のサブセクション５０ｂは、行６０及び列６２に配置される。各行６０の中で、第一のサブセクション５０ａの各々は第二のサブセクション５０ｂに隣接する。各列の中で、第一の撮像サブセクション５０ａの各々は第二のサブセクション５０ｂに隣接する。このパターンは、センサアレイ３０上への設置を可能にする何れの適当な数の行６０（例えば、２〜５、５〜１０、又は１０より多い）と列６２（例えば、２〜５、５〜１０、又は１０より多い）を含んでいてもよい。行６０の数は列６２の数より多くても、それと等しくても、又はそれより少なくてもよい。
【００３４】
図３Ｂは、レンズアレイ２８の例を示しており、第一のサブセクション５０ａ及び第二のサブセクション５０ｂは縞模様のパターンで配置されている。第一のサブセクション５０ａは第一の長方形６４のような形状であり、第二のサブセクション５０ｂは、第一の長方形に隣接する第二の長方形６４のような形状である。このパターンは、センサアレイ３０上への設置を可能にする何れの適当な数の長方形６４（例えば、２〜５、５〜１０、又は１０より多い）を含んでいてもよい。長方形６４の辺は、センサアレイ３０上への設置を可能にする何れの適当な長さ及び長さの比を有していてもよい。長方形６４は同じ形状及び大きさを有していてもよく、又は異なる形状又は大きさを有していてもよい。
【００３５】
図３Ｃは、レンズアレイ２８の例を示しており、第一のサブセクション５０ａ及び第二のサブセクション５０ｂは同心円状の環状パターンで配置されている。このパターンは、少なくとも２つの環状リング形サブセクションを有する。第一のサブセクション５０ａは第一の環状リング６６のような形状であり、第二のサブセクション５０ｂは、第一の環状リング６６と同心円の第二の環状リング６６のような形状である。特定の例において、中央のサブセクション６６は円であってよい。このパターンは、センサアレイ３０上への設置を可能にする何れの適当な数の環状リング６６（例えば、２〜５、５〜１０、又は１０より多い）を含んでいてもよい。環状リング６６は、センサアレイ３０上への設置を可能にする何れの適当な半径方向の幅６８を有していてもよい。
【００３６】
図４は、図１のシステム１０と共に使用されてよいレンズ・センサアレイ２６の製造方法の例を示す。方法はステップ１００から始まり、ここで第一のセクション５０ａ及び第二のセクション５０ｂを有するレンズアレイ２８が設計される。例えば、設計は、図２Ｄに関して説明したものであってよい。
【００３７】
ステップ１０２で、この設計のレンズ層が特定される。レンズ層は、付加製造工程中に、層の堆積の結果としてその設計とマッチするレンズアレイが得られるように印刷される層である。図２Ｄの例では、レンズ層の１つ又は複数は、第一のセクション５０ａ及び第二のセクション５０ｂを構成する部分を含む。これらの層のｚ方向に測定される厚さは概して同じであってよい。第一の層は、センサアレイ３０の上に直接印刷される層であってよい。次の層は、第一の層の上に印刷される層である。後続の層がｚ方向へと同様に印刷される。
【００３８】
ステップ１０４で、付加製造工程のための基板としての役割を果たすセンサアレイ３０が提供される。ステップ１０６で、レンズ層がセンサアレイ３０の上に印刷される。ステップ１０８で印刷すべき次の層がある場合、方法はステップ１０６に戻り、層を印刷する。なければ、方法は終わる。
【００３９】
本明細書で開示されるシステム及び装置の構成要素（例えば、コンピュータ）は、インタフェース、ロジック、及び／又はメモリを含んでいてよく、その何れもハードウェア及び／又はソフトウェアを含んでいてよい。インタフェースは、構成要素への入力を受信し、構成要素からの出力を提供し、及び／又は入力及び／又は出力を処理することができる。ロジックは、構成要素の動作を実行でき、例えば、入力から出力を生成する命令を実行する。ロジックは、コンピュータ、マイクロプロセッサ、又はフィールドプログラマブルゲートアレイ（ＦＰＧＡ）等のプロセッサであってよい。ロジックは、コンピュータにより実行可能な、メモリ内の符号化されたコンピュータ実行可能命令、例えばコンピュータプログラム又はソフトウェアであってよい。メモリは情報を記憶でき、１つ又は複数の有形、非一時的、コンピュータ可読、コンピュータ実行可能記憶媒体を含んでいてよい。メモリの例には、コンピュータメモリ（例えば、ランダムアクセスメモリ（ＲＡＭ）又はリードオンリメモリ（ＲＯＭ））、マスストレージ媒体（例えば、ハードディスク）、リムーバブルストレージ媒体（例えば、コンパクトディスク（ＣＤ）又はデジタルビデオディスク（ＤＶＤ））、及びネットワークストレージ（例えば、サーバ又はデータベース）が含まれる。
【００４０】
本開示を特定の実施形態の点で説明したが、実施形態の変更（例えば、置換、追加、変更、又は省略）は当業者にとって明らかであろう。したがって、本発明の範囲から逸脱せずに、実施形態に対して変更が行われてもよい。例えば、変更は本明細書で開示されたシステム及び装置に対して行われてよい。システム及び装置の構成要素は統合されても分離されてもよく、システム及び装置の動作はより多くの、より少ない、又は他の構成要素により実行されてもよい。他の例として、変更は本明細書で開示される方法に対して行われてもよい。方法はより多くの、より少ない、又は他のステップを含んでいてもよく、ステップは何れの適当な順序で行われてもよい。
【図１】
2021506375.tif 000004
【図２Ａ−２Ｃ】
2021506375.tif 000005
【図２Ｄ】
2021506375.tif 000006
【図３Ａ−３Ｃ】
2021506375.tif 000007
【図４】
2021506375.tif 000008
【国際調査報告】
2021506375.tif 000009
2021506375.tif 000010